(57)【特許請求の範囲】
【請求項１】
第１の周波数を持つ第１の無線信号を送信し、かつ、前記第１の周波数の所定倍の第２の周波数を持つ第２の無線信号を受信する無線通信モジュールと、前記無線通信モジュールと第１のアンテナケーブルを介して接続される第１のアンテナと、前記無線通信モジュールと第２のアンテナケーブルを介して接続される第２のアンテナとを有する通信装置における、アンテナケーブル接続確認方法であって、
前記無線通信モジュールに含まれる、前記第１の無線信号に含まれる前記第１の周波数よりも高い周波数成分を減衰させるフィルタをバイパスするバイパススイッチをオンにし、
前記無線通信モジュールに、前記バイパススイッチと前記第１のアンテナケーブルを経由して、前記第１のアンテナを介して前記第１の無線信号を送信させ、
前記第２のアンテナにより受信し、かつ、前記第２のアンテナケーブルを介して前記無線通信モジュールが受け取った、前記第１の無線信号の前記所定倍の高調波の受信信号レベルを測定し、
前記受信信号レベルに応じて、前記第１のアンテナケーブル及び前記第２のアンテナケーブルの接続が正常か否かを判定する、
ことを含むアンテナケーブル接続確認方法。
【請求項２】
前記第１のアンテナケーブル及び前記第２のアンテナケーブルの接続が正常か否かを判定することは、前記受信信号レベルが所定の閾値以上である場合に前記第１のアンテナケーブル及び前記第２のアンテナケーブルの接続が正常であると判定する、請求項１に記載のアンテナケーブル接続確認方法。
【請求項３】
第１の周波数を持つ第１の無線信号を送信し、かつ、前記第１の周波数の所定倍の第２の周波数を持つ第２の無線信号を受信する無線通信モジュールと、
前記無線通信モジュールと第１のアンテナケーブルを介して接続される第１のアンテナと、
前記無線通信モジュールと第２のアンテナケーブルを介して接続される第２のアンテナと、
制御部とを有し、
前記無線通信モジュールは、
前記第１のアンテナケーブルに接続され、前記第１の無線信号に含まれる前記第１の周波数よりも高い周波数成分を減衰させるフィルタと、
前記フィルタと並列に接続され、オンである場合に前記フィルタをバイパスして前記第１の無線信号を前記第１のアンテナケーブルへ伝送するバイパススイッチと、
前記第２のアンテナにより受信し、かつ、前記第２のアンテナケーブルを介して前記無線通信モジュールが受け取った、前記第１の無線信号の前記所定倍の高調波の受信信号レベルを測定する測定部と、を有し、
前記制御部は、前記バイパススイッチをオンにしてから前記無線通信モジュールに前記第１の無線信号を前記第１のアンテナを介して送信させ、かつ、当該送信後に前記第２のアンテナにより受信した前記高調波の前記受信信号レベルに応じて、前記第１のアンテナケーブル及び前記第２のアンテナケーブルの接続が正常か否かを判定する、
通信装置。
【発明の詳細な説明】
【技術分野】
【０００１】
本発明は、例えば、アンテナケーブルの接続を確認するアンテナケーブル接続確認方法、及び、そのような方法が適用される通信装置に関する。
【背景技術】
【０００２】
無線通信モジュールが組み込まれた装置について、例えば、その装置が出荷される前に、その無線通信モジュールとアンテナとを結ぶアンテナケーブルの接続が正常か否かを確認する作業が行われる。そのような作業は、例えば、作業者がアンテナケーブルと無線通信モジュールまたはアンテナに設けられたコネクタとの接続部を目視によって確認することで行われる。
【０００３】
しかし、コネクタの小型化により、目視でそのような作業を行うことが困難となってきている。そこで、無線通信装置において、アンテナから送信された高周波信号をアンテナと空間結合された結合素子で受信した信号のレベルを外部コネクタに接続された高周波測定器が評価してアンテナの故障を検出する方法が提案されている（例えば、特許文献１を参照）。
【０００４】
しかしながら、特許文献１に開示された方法では、無線通信装置とは別個に高周波測定器が使用されるので、評価対象の無線通信装置を入れ替える度に高周波測定器をその無線通信装置と接続する作業が必要とされ、煩雑であった。
【０００５】
一方、無線システムを特別な装置を用いないで診断する方法が提案されている（例えば、特許文献２を参照）。特許文献２に開示された診断方法は、無線機器に搭載された第１の無線通信システムから第１の周波数の基準信号を放射し、無線機器に搭載された第２の無線通信システムによって基準信号に対するスプリアス信号の電力を測定する。そしてこの診断方法は、測定された受信電力値を評価することによって、第１の無線通信システムからの放射及び第２の無線通信システムによる受信が正常か否かを評価する。またこの診断方法は、スプリアス信号として、基準信号の第ｎ高調波もしくは第１／ｎ低調波を利用する。
【先行技術文献】
【特許文献】
【０００６】
【特許文献１】特開２００４−１４６８６５号公報
【特許文献２】特開２００９−１７３３２号公報
【発明の概要】
【発明が解決しようとする課題】
【０００７】
しかしながら、特許文献２に開示された診断方法は、無線機器が二つの無線通信システムを搭載していることが前提となっている。そのため、この診断方法は、一つの無線通信システムしか搭載していない無線機器には適用できない。
【０００８】
また、無線通信規格によっては、無線通信モジュールの送信周波数と受信周波数とが異なることがある。このような場合、無線通信モジュールは、無線通信モジュール自身が送信した無線信号そのものを受信できないので、その無線信号に基づいてアンテナケーブルの接続を確認することは困難である。
【０００９】
そこで、本明細書は、送信周波数と受信周波数とが異なる一つの無線通信モジュールを利用して、アンテナケーブルの接続を確認できるアンテナケーブル接続確認方法を提供することを目的とする。
【課題を解決するための手段】
【００１０】
一つの実施形態によれば、第１の周波数を持つ第１の無線信号を送信し、かつ、第１の周波数の所定倍の第２の周波数を持つ第２の無線信号を受信する無線通信モジュールと、無線通信モジュールと第１のアンテナケーブルを介して接続される第１のアンテナと、無線通信モジュールと第２のアンテナケーブルを介して接続される第２のアンテナとを有する通信装置における、アンテナケーブル接続確認方法が提供される。
このアンテナケーブル接続確認方法は、無線通信モジュールに含まれる、第１の無線信号に含まれる第１の周波数よりも高い周波数成分を減衰させるフィルタをバイパスするバイパススイッチをオンにし、無線通信モジュールに、バイパススイッチと第１のアンテナケーブルを経由して、第１のアンテナを介して第１の無線信号を送信させ、第２のアンテナにより受信し、かつ、第２のアンテナケーブルを介して無線通信モジュールが受け取った、第１の無線信号の所定倍の高調波の受信信号レベルを測定し、受信信号レベルに応じて、第１のアンテナケーブル及び第２のアンテナケーブルの接続が正常か否かを判定する、ことを含む。
【００１１】
本発明の目的及び利点は、請求項において特に指摘されたエレメント及び組み合わせにより実現され、かつ達成される。
上記の一般的な記述及び下記の詳細な記述の何れも、例示的かつ説明的なものであり、請求項のように、本発明を限定するものではないことを理解されたい。
【発明の効果】
【００１２】
本明細書に開示されたアンテナケーブル接続確認方法は、送信周波数と受信周波数とが異なる一つの無線通信モジュールを利用して、アンテナケーブルの接続を確認できる。
【図面の簡単な説明】
【００１３】
【図１】一つの実施形態によるアンテナケーブル接続確認方法が適用される無線通信モジュールが搭載されたコンピュータの概略斜視図である。
【図２】図１に示されたコンピュータのハードウェアブロック図である。
【図３】無線通信モジュールのハードウェアブロック図である。
【図４】無線処理部の回路構成の一例を示す図である。
【図５】（ａ）は、バイパススイッチとしてSPSTスイッチが用いられる場合のバイパススイッチの回路図であり、（ｂ）は、バイパススイッチとして二つのSPDTスイッチが用いられる場合のバイパススイッチの回路図である。
【図６】（ａ）は、バイパススイッチがオンである場合に出力される無線電波の周波数特性の一例を示す図であり、（ｂ）は、バイパススイッチがオフである場合に出力される電波の周波数特性の一例を示す図である。
【図７】アンテナケーブル接続確認方法の動作フローチャートである。
【発明を実施するための形態】
【００１４】
以下、図を参照しつつ、アンテナケーブル接続確認方法について説明する。このアンテナケーブル接続確認方法は、周波数分割多重方式のように、送信周波数と受信周波数とが異なる通信方式が適用される無線通信モジュールと複数のアンテナ間のアンテナケーブルの接続の確認に好適に用いられる。このアンテナケーブル接続確認方法は、無線通信モジュールからの無線信号を、一方のアンテナを介して無線電波として放射させ、他方のアンテナを介してその無線電波の高調波を受信する。そしてこのアンテナケーブル接続確認方法は、その高調波の受信信号レベルを所定の閾値と比較することで、二つのアンテナと無線通信モジュール間を接続するアンテナケーブルの接続が正常か否かを判定する。また、このアンテナケーブル接続確認方法は、アンテナケーブルの接続確認用の無線信号を送信する際、その無線電波の高調波を減衰させないよう、無線通信時には送信用の無線信号が経由するローパスフィルタをバイパスさせる。
なお、本明細書において、アンテナケーブルが正常に接続されているとは、無線通信モジュールが他の機器と無線通信可能なように、アンテナケーブルが無線通信モジュールとアンテナ間に接続されていることをいう。
【００１５】
図１は、一つの実施形態によるアンテナケーブル接続確認方法が適用される無線通信モジュールが搭載されたコンピュータの概略斜視図である。図２は、図１に示されたコンピュータのハードウェアブロック図である。
【００１６】
コンピュータ１００は、通信装置の一例であり、操作部１０１と、表示部１０２と、無線通信モジュール１０３と、主アンテナ１０４と、補助アンテナ１０５と、記憶部１０６と、制御部１０７とを有する。コンピュータ１００が有するこれらの各部は、筐体１１０に収容されている。
【００１７】
操作部１０１、表示部１０２、無線通信モジュール１０３及び記憶部１０６は、信号線を介して制御部１０７と接続されている。また、主アンテナ１０４は、アンテナケーブルの一例である同軸ケーブル１０８を介して無線通信モジュール１０３と接続される。同様に、補助アンテナ１０５は、アンテナケーブルの他の一例である同軸ケーブル１０９を介して無線通信モジュール１０３と接続される。
本実施形態によるアンテナケーブル接続確認方法は、同軸ケーブル１０８及び１０９が無線通信モジュール１０３と各アンテナ間に正常に接続されているか否かを確認するために実行される。
【００１８】
操作部１０１は、例えば、キーボードと、タッチパッドといったポインティングデバイスとを有する。そして操作部１０１は、作業者の操作に応じた信号、例えば、アンテナケーブル接続確認処理の開始を指示する操作信号を生成し、その操作信号を制御部１０７へ出力する。
【００１９】
表示部１０２は、例えば、液晶ディスプレイを有し、制御部１０７から受信した表示用の信号などに応じて、様々な情報、例えば、アンテナケーブル接続確認の結果などを表示する。
なお、操作部１０１と表示部１０２とは、例えば、タッチパネルディスプレイとして、一体的に形成されてもよい。
【００２０】
無線通信モジュール１０３は、例えば、操作部１０１と表示部１０２との間に配置され、周波数分割多重方式が採用される所定の無線通信規格に準拠して、他の機器と無線通信を実行する。そして無線通信モジュール１０３は、制御部１０７から受け取ったデータなどを含む無線信号を生成し、その無線信号を主アンテナ１０４を介して無線電波として放射する。また、無線通信モジュール１０３は、主アンテナ１０４または補助アンテナ１０５を介して受信した無線電波から得られる無線信号から取り出したデータなどを制御部１０７へ出力する。
無線通信モジュール１０３の詳細については後述する。
【００２１】
主アンテナ１０４及び補助アンテナ１０５は、それぞれ、筐体１１０内の表示部１０２の上端に沿って配置される。そして主アンテナ１０４は、表示部１０２の側方を通って配線される同軸ケーブル１０８を介して、無線通信モジュール１０３から受け取った無線信号を無線電波として放射する。また、主アンテナ１０４は、他の機器から放射された無線電波を受信して、その無線電波から得られる無線信号を同軸ケーブル１０８を介して無線通信モジュール１０３へ出力する。同様に、補助アンテナ１０５は、他の機器から放射された無線電波を受信して、その無線電波から得られる無線信号を、表示部１０２の側方を通って配線される同軸ケーブル１０９を介して無線通信モジュール１０３へ出力する。
なお、主アンテナ１０４及び補助アンテナ１０５は、それぞれ、例えば、逆Ｆアンテナあるいはモノポールアンテナである。
【００２２】
記憶部１０６は、例えば、不揮発性の読み出し専用のメモリ回路と、揮発性の読み書き可能なメモリ回路とを有する。さらに、記憶部１０６は、磁気記憶媒体及びそのアクセス装置を有してもよい。そして記憶部１０６は、制御部１０７で実行される各種のコンピュータプログラム、それらのコンピュータプログラムで利用される各種のデータなどを記憶する。例えば、記憶部１０６は、アンテナケーブル接続確認処理で利用される閾値などを記憶する。
【００２３】
制御部１０７は、一つまたは複数のプロセッサと、その周辺回路とを有する。そして制御部１０７は、コンピュータ１００の各部を制御する。また制御部１０７は、操作部１０１からの操作信号に応じたコンピュータプログラムを実行する。例えば、制御部１０７は、アンテナケーブル接続確認処理用のコンピュータプログラムを実行して、同軸ケーブル１０８及び同軸ケーブル１０９の接続が正常か否かを判定する。その際、制御部１０７は、無線通信モジュール１０３のバイパススイッチをオンにする。また、制御部１０７は、補助アンテナ１０５を介して受信された、主アンテナ１０４から放射された無線電波の高調波の受信信号レベルを所定の閾値と比較することで、同軸ケーブル１０８及び同軸ケーブル１０９の接続が正常か否かを判定する。
【００２４】
図３は、無線通信モジュール１０３のハードウェアブロック図である。無線通信モジュール１０３は、インターフェース部１１と、ベースバンド処理部１２と、無線処理部１３とを有する。無線通信モジュール１０３が有するこれらの構成要素は、例えば、別個の回路として無線通信モジュール１０３に実装される。
【００２５】
インターフェース部１１は、無線通信モジュール１０３をコンピュータ１００内の信号線と接続するためのインターフェース回路を有する。インターフェース部１１は、制御部１０７から受け取ったデータまたは通信制御用の各種の制御信号をベースバンド処理部１２へわたす。またインターフェース部１１は、無線処理部１３内の信号送信用のローパスフィルタをバイパスするためのバイパススイッチを制御する制御信号を制御部１０７から受け取り、その制御信号を無線処理部１３へわたす。なお、バイパススイッチについては後述する。さらに、インターフェース部１１は、無線処理部１３の各アンテナスイッチを制御する制御信号を制御部１０７から受け取り、その制御信号を無線処理部１３へわたす。さらにまた、インターフェース部１１は、ベースバンド処理部１２から受け取った、受信した無線信号に含まれるデータ、あるいは受信信号レベルなどを制御部１０７へ出力する。
【００２６】
ベースバンド処理部１２は、制御部１０７からの制御信号にしたがって、制御部１０７から受信したデータなどに対して誤り訂正符号化及び変調などの処理を実行して送信用の信号を生成する。そしてベースバンド処理部１２は、その送信用の信号を、制御部１０７により指定された無線周波数を持つ搬送波に重畳して無線信号を生成する。またベースバンド処理部１２は、主アンテナ１０４または補助アンテナ１０５を介して受信した無線電波から得られた無線信号に搬送されている信号を分離し、その信号に対して復調及び誤り訂正復号などの処理を実行してその信号に含まれるデータなどを取り出す。そしてベースバンド処理部１２は、そのデータなどをインターフェース部１１を介して制御部１０７へ出力する。
【００２７】
さらに、ベースバンド処理部１２は、測定部の一例であり、受信した無線信号の信号品質を測定する。例えば、ベースバンド処理部１２は、受信した無線信号についての信号品質として、受信信号強度(Received Signal Strength Indicator, RSSI)を測定する。RSSIは、受信信号レベルの一例である。そしてベースバンド処理部１２は、その信号品質の測定値をインターフェース部１１を介して制御部１０７へ出力する。さらにまた、ベースバンド処理部１２は、無線信号の送信タイミングの決定など、他の機器と無線通信するための制御を実行する。
【００２８】
表１に、本実施形態において使用される、無線信号の周波数帯域が示される。
【表１】
0006464455.tif 000002
本実施形態では、搬送波の周波数帯域として、Band4の周波数帯域とBand17の周波数帯域が利用される。Band4では、送信する無線信号について、1710MHz〜1755MHzの周波数帯域が指定され、受信する無線信号について、2110MHz〜2155MHzの周波数帯域が指定される。一方、Band17では、送信する無線信号について、704MHz〜716MHzの周波数帯域が指定され、受信する無線信号について、734MHz〜746MHzの周波数帯域が指定される。
【００２９】
表１に示されるように、Band17で指定される、送信する無線信号用の周波数帯域に含まれる周波数704MHzの３倍高調波の周波数は2112MHzとなり、その３倍高調波の周波数は、Band4で指定される、受信する無線信号用の周波数帯域に含まれる。
そこで、本実施形態では、アンテナケーブル接続確認処理の実行時において、無線通信モジュール１０３は、周波数704MHzの無線信号を主アンテナ１０４から放射し、その３倍高調波を補助アンテナ１０５を介して受信し、その３倍高調波のRSSIを測定する。
【００３０】
無線処理部１３は、ベースバンド処理部１２から受け取った、送信用の無線信号を増幅し、その増幅された無線信号を主アンテナ１０４へ出力する。また、無線処理部１３は、主アンテナ１０４または補助アンテナ１０５で受信した無線信号を増幅してベースバンド処理部１２へ出力する。
【００３１】
図４は、無線処理部１３の回路構成の一例を示す図である。無線処理部１３は、無線信号送信用の二つのパワーアンプ２１−１、２１−２及び二つのローパスフィルタ２２−１、２２−２と、無線信号受信用の四つの低ノイズアンプ２３−１〜２３−４及び四つのバンドパスフィルタ２４−１〜２４−４を有する。さらに、無線処理部１３は、二つのアンテナスイッチ２５−１、２５−２と、バイパススイッチ２６とを有する。
【００３２】
このうち、パワーアンプ２１−１及びローパスフィルタ２２−１は、Band4の周波数帯域の無線信号の送信に利用される。すなわち、ベースバンド処理部１２から無線処理部１３が受け取った、Band4の周波数帯域の無線信号は、パワーアンプ２１−１によって増幅された後、ローパスフィルタ２２−１に入力される。そしてその増幅された無線信号に含まれる、Band4の周波数帯域よりも高い周波数の成分は、ローパスフィルタ２２−１により減衰される。これにより、無線信号を生成する際に生じるその無線信号の高調波も減衰される。そしてローパスフィルタ２２−１から出力された無線信号はアンテナスイッチ２５−１を介して主アンテナ１０４へ出力され、主アンテナ１０４より無線電波として放射される。
【００３３】
一方、パワーアンプ２１−２及びローパスフィルタ２２−２は、Band17の周波数帯域の無線信号の送信に利用される。すなわち、ベースバンド処理部１２から無線処理部１３が受け取った、Band17の周波数帯域の無線信号は、パワーアンプ２１−２によって増幅された後、ローパスフィルタ２２−２に入力される。そしてその増幅された無線信号に含まれる、Band17の周波数帯域よりも高い周波数の成分は、ローパスフィルタ２２−２により減衰される。これにより、無線信号を生成する際に生じるその無線信号の高調波も減衰される。そしてローパスフィルタ２２−２から出力された無線信号はアンテナスイッチ２５−１を介して主アンテナ１０４へ出力され、主アンテナ１０４より無線電波として放射される。
【００３４】
また、ローパスフィルタ２２−２と並列に、バイパススイッチ２６が接続される。バイパススイッチ２６は、オンとなる場合にパワーアンプ２１−２から出力された無線信号をローパスフィルタ２２−２をバイパスして同軸ケーブル１０８へ伝送する。なお、バイパススイッチ２６は、制御部１０７からの制御信号によって、オン／オフが切り替えられる。
【００３５】
図５（ａ）は、バイパススイッチ２６として単極単投(Single Pole Single Throw, SPST)スイッチが用いられる場合のバイパススイッチ２６の回路図である。この場合、SPSTスイッチであるバイパススイッチ２６がローパスフィルタ２２−２と並列に接続される。
【００３６】
通常の無線通信時には、バイパススイッチ２６はオフとなり、パワーアンプ２１−２から出力された増幅された無線信号は、ローパスフィルタ２２−２を経由する。
【００３７】
一方、アンテナケーブル接続確認処理の実行時には、バイパススイッチ２６はオンとなる。その結果、パワーアンプ２１−２から出力された増幅された無線信号の少なくとも一部は、ローパスフィルタ２２−２を経由せずにバイパススイッチ２６を経由してアンテナスイッチ２５−１へ伝達される。そのため、この場合には、その無線信号の高調波成分も主アンテナ１０４から放射される。
【００３８】
図５（ｂ）は、変形例として、バイパススイッチ２６として二つの単極双投(Single Pole Double Throw, SPDT)スイッチが用いられる場合のバイパススイッチ２６の回路図である。この変形例では、二つのSPDTスイッチ２６−１、２６−２が、ローパスフィルタ２２−２を挟んで配置される。そしてSPDTスイッチ２６−１及びSPDTスイッチ２６−２のそれぞれの一方のスイッチ端子とローパスフィルタ２２−２が接続される。また、SPDTスイッチ２６−１及びSPDTスイッチ２６−２のそれぞれの他方のスイッチ端子は、信号線（例えば、マイクロストリップライン）で直結される。この場合、制御部１０７から、バイパススイッチ２６をオフにする制御信号が入力されると、SPDTスイッチ２６−１及びSPDTスイッチ２６−２のそれぞれは、ローパスフィルタ２２−２と接続された方のスイッチ端子を単極側の端子と接続する。一方、制御部１０７から、バイパススイッチ２６をオンにする制御信号が入力されると、SPDTスイッチ２６−１及びSPDTスイッチ２６−２のそれぞれは、互いを直結する方のスイッチ端子を単極側の端子と接続する。そのため、この変形例では、バイパススイッチ２６がオンとなる場合、パワーアンプ２１−２から出力された無線信号の全ての成分は、ローパスフィルタ２２−２を経由せずにアンテナスイッチ２５−１へ入力される。
【００３９】
図６（ａ）は、バイパススイッチ２６がオンである場合に出力される無線電波の周波数特性の一例を示す図である。一方、図６（ｂ）は、バイパススイッチ２６がオフである場合に出力される無線電波の周波数特性の一例を示す図である。図６（ａ）及び図６（ｂ）において、横軸は周波数を表し、縦軸は無線信号の振幅を表す。そしてグラフ６０１は、バイパススイッチ２６がオンである場合の周波数と無線信号の関係を表す。一方、グラフ６０２は、バイパススイッチ２６がオフである場合の周波数と無線信号の関係を表す。
【００４０】
グラフ６０１に示されるように、バイパススイッチ２６がオンである場合、Band17の周波数帯域に含まれる搬送波の周波数704MHzだけでなく、その高調波の周波数(1408MHz、2112MHz、2816MHz)において、無線電波の振幅は大きくなる。その他の周波数では、無線電波の振幅はランダムノイズに応じた振幅となり、無線電波の振幅は相対的に低い。
【００４１】
一方、バイパススイッチ２６がオフである場合、Band17の周波数帯域に含まれる搬送波の周波数704MHzより高い周波数の成分は、ローパスフィルタ２２−２により減衰させられる。そのため、グラフ６０２に示されるように、無線電波の振幅は、周波数704MHz以外の周波数では、ランダムノイズに応じた振幅と同程度となる。
【００４２】
再度図４を参照すると、低ノイズアンプ２３−１及びバンドパスフィルタ２４−１は、主アンテナ１０４を介したBand4の周波数帯域の無線電波の受信に利用される。すなわち、主アンテナ１０４がBand4の周波数帯域の無線電波を受信することにより得られた無線信号は、主アンテナ１０４から同軸ケーブル１０８及びアンテナスイッチ２５−１を介してバンドパスフィルタ２４−１に入力される。そしてその無線信号のうち、Band4の周波数帯域以外の周波数成分は、バンドパスフィルタ２４−１により減衰される。そしてバンドパスフィルタ２４−１から出力された無線信号は、低ノイズアンプ２３−１に入力され、低ノイズアンプ２３−１で増幅された後、ベースバンド処理部１２へ出力される。
【００４３】
同様に、低ノイズアンプ２３−２及びバンドパスフィルタ２４−２は、主アンテナ１０４を介したBand17の周波数帯域の無線電波の受信に利用される。すなわち、主アンテナ１０４がBand17の周波数帯域の無線電波を受信することにより得られた無線信号は、主アンテナ１０４から同軸ケーブル１０８及びアンテナスイッチ２５−１を介してバンドパスフィルタ２４−２に入力される。そしてその無線信号のうち、Band17の周波数帯域以外の周波数成分は、バンドパスフィルタ２４−２により減衰される。そしてバンドパスフィルタ２４−２から出力された無線信号は、低ノイズアンプ２３−２に入力され、低ノイズアンプ２３−２で増幅された後、ベースバンド処理部１２へ出力される。
【００４４】
さらに、低ノイズアンプ２３−３及びバンドパスフィルタ２４−３は、補助アンテナ１０５を介したBand4の周波数帯域の無線電波の受信に利用される。すなわち、補助アンテナ１０５がBand4の周波数帯域の無線電波を受信することにより得られた無線信号は、補助アンテナ１０５から同軸ケーブル１０９及びアンテナスイッチ２５−２を介してバンドパスフィルタ２４−３に入力される。そしてその無線信号のうち、Band4の周波数帯域以外の周波数成分は、バンドパスフィルタ２４−３により減衰される。そしてバンドパスフィルタ２４−３から出力された無線信号は、低ノイズアンプ２３−３に入力され、低ノイズアンプ２３−３で増幅された後、ベースバンド処理部１２へ出力される。
【００４５】
なお、アンテナケーブル接続確認処理の実行時には、主アンテナ１０４から放射された、Band17の周波数帯域に含まれる周波数を持つ無線電波の３倍高調波が補助アンテナ１０５により受信される。そしてその３倍高調波に相当する無線信号が、同軸ケーブル１０９を介してアンテナスイッチ２５−２に入力された後、バンドパスフィルタ２４−３及び低ノイズアンプ２３−３を経由して、ベースバンド処理部１２へ出力される。
【００４６】
さらに、低ノイズアンプ２３−４及びバンドパスフィルタ２４−４は、補助アンテナ１０４を介したBand17の周波数帯域の無線電波の受信に利用される。すなわち、補助アンテナ１０５がBand17の周波数帯域の無線電波を受信することにより得られた無線信号は、補助アンテナ１０５から同軸ケーブル１０９及びアンテナスイッチ２５−２を介してバンドパスフィルタ２４−４に入力される。そしてその無線信号のうち、Band17の周波数帯域以外の周波数成分は、バンドパスフィルタ２４−４により減衰される。そしてバンドパスフィルタ２４−４から出力された無線信号は、低ノイズアンプ２３−４に入力され、低ノイズアンプ２３−４で増幅された後、ベースバンド処理部１２へ出力される。
【００４７】
アンテナスイッチ２５−１は、例えば、単極４投の高周波スイッチであり、ベースバンド処理部１２側の四つの端子のそれぞれには、ローパスフィルタ２２−１、２２−２、バンドパスフィルタ２４−１、２４−２が接続される。また、単極側の端子には同軸ケーブル１０８を介して主アンテナ１０４が接続される。そしてアンテナスイッチ２５−１は、制御部１０７からの制御信号に従って、主アンテナ１０４側の端子と接続される、ベースバンド処理部１２側の端子を切り替える。
【００４８】
アンテナスイッチ２５−２は、例えば、単極双投の高周波スイッチであり、ベースバンド処理部１２側の二つの端子のそれぞれには、バンドパスフィルタ２４−３、２４−４が接続される。また、単極側の端子には同軸ケーブル１０９を介して補助アンテナ１０５が接続される。そしてアンテナスイッチ２５−２は、制御部１０７からの制御信号に従って、補助アンテナ１０５側の側の端子と接続される、ベースバンド処理部１２側の端子を切り替える。
【００４９】
以下、アンテナケーブル接続確認処理の詳細について説明する。
図７は、アンテナケーブル接続確認処理の動作フローチャートである。
制御部１０７は、無線信号送信用の搬送波の周波数として、Band17の周波数帯域に含まれる周波数（この例では、704MHz）を選択し、選択した周波数に相当するアンテナスイッチ２５−１の制御信号を無線通信モジュール１０３へ出力する（ステップＳ１０１）。これにより、無線通信モジュール１０３の無線処理部１３のアンテナスイッチ２５−１は、ローパスフィルタ２２−２と接続される端子を、同軸ケーブル１０８が接続される端子と接続する。また制御部１０７は、無線通信モジュール１０３の無線処理部１３内のバイパススイッチ２６をオンにする制御信号を無線通信モジュール１０３へ出力する（ステップＳ１０２）。
【００５０】
さらに、制御部１０７は、無線信号受信用の搬送波の周波数として、Band4の周波数帯域に含まれる周波数（この例では、2112MHz）を選択する。そして制御部１０７は、選択した周波数に相当するアンテナスイッチ２５−２の制御信号を無線通信モジュール１０３へ出力する（ステップＳ１０３）。これにより、無線通信モジュール１０３の無線処理部１３のアンテナスイッチ２５−２は、バンドパスフィルタ２４−３と接続される端子を、同軸ケーブル１０９が接続される端子と接続する。
【００５１】
また、制御部１０７は、無線通信モジュール１０３に、Band17の周波数帯域に含まれる周波数704MHzを持つ無線信号に応じた無線電波を、主アンテナ１０４を介して所定の電力で放射させる（ステップＳ１０４）。これにより、同軸ケーブル１０８がアンテナスイッチ２５−１と主アンテナ１０４との間に正常に接続されている場合、その無線電波の３倍高調波（周波数2112MHz）も、主アンテナ１０４から放射される。なお、この場合において放射される無線電波はどのようなデータを含んでいてもよく、あるいは、何のデータも含まなくてもよい。また、所定の電力は、予め設定され、無線電波の電力がその所定の電力となるように、パワーアンプ２１−２の増幅率が調節される。
【００５２】
無線通信モジュール１０３のベースバンド処理部１２は、補助アンテナ１０５で受信した周波数2112MHzの無線電波のRSSIを測定する（ステップＳ１０５）。同軸ケーブル１０８及び同軸ケーブル１０９が正常に接続されている場合、RSSIは、主アンテナ１０４から放射された３倍高調波の電波強度に応じた値となる。ベースバンド処理部１２は、そのRSSIを、インターフェース部１１を介して制御部１０７へ出力する。
【００５３】
制御部１０７は、RSSIが所定の閾値Th以上か否か判定する（ステップＳ１０６）。RSSIが閾値Th以上である場合（ステップＳ１０６−Ｙｅｓ）、制御部１０７は、同軸ケーブル１０８及び同軸ケーブル１０９が正常に接続されていると判定する（ステップＳ１０７）。そして制御部１０７は、例えば、その判定結果を表すメッセージを表示部１０２に表示させる。
【００５４】
一方、RSSIが閾値Th未満である場合（ステップＳ１０６−Ｎｏ）、制御部１０７は、同軸ケーブル１０８及び同軸ケーブル１０９の少なくとも一方が正しく接続されていないと判定する（ステップＳ１０８）。そして制御部１０７は、例えば、その判定結果を表すメッセージを表示部１０２に表示させる。なお、閾値Thは、例えば、予め測定された、同軸ケーブル１０８と同軸ケーブル１０９とが正常に接続されている場合のRSSIと、同軸ケーブル１０８と同軸ケーブル１０９の少なくとも一方が接続されていない場合のRSSIとの平均値などに設定される。
ステップＳ１０７またはステップＳ１０８の後、制御部１０７は、アンテナケーブル接続確認処理を終了する。
【００５５】
以上に説明してきたように、このアンテナケーブル接続確認方法は、一方のアンテナから放射した無線信号の高調波を他方のアンテナで受信して、その高調波の受信信号レベルを測定する。そしてこのアンテナケーブル接続確認方法は、その受信信号レベルに基づいて、二つの同軸ケーブルのそれぞれが、二つのアンテナのそれぞれと無線通信モジュールとの間に正常に接続されているか否かを判定する。そのため、このアンテナケーブル接続確認方法は、一つの無線通信モジュールだけを用いて、送受信に利用される主アンテナ側の同軸ケーブルと受信に利用される補助アンテナ側の同軸ケーブルとが正常に接続されているか否かを同時に判定できる。またこのアンテナケーブル接続確認方法は、受信信号レベルの測定に、放射した信号の高調波を利用する。そのため、このアンテナケーブル接続確認方法は、送信用の周波数と受信用の周波数とが異なる無線通信規格に準拠した無線通信モジュールについて、二つの同軸ケーブルのそれぞれが正常に接続されているか否かを判定できる。さらに、このアンテナケーブル接続確認方法は、二つの同軸ケーブルのそれぞれに断線が無いことも確認できる。
【００５６】
なお、変形例によれば、アンテナと無線通信モジュール間を接続するアンテナケーブルは、同軸ケーブルに限られず、例えば、マイクロストリップラインあるいはフィーダ線といった他の分布定数線路であってもよい。
また、アンテナケーブル接続確認処理の実行時において、無線通信モジュールから放射される無線信号の搬送波の周波数も、上記の実施形態に限られない。同様に、RSSIが測定されるその無線信号の高調波も、３倍高調波でなくてもよい。
さらに、無線通信モジュール自身が、バイパススイッチ及びアンテナスイッチを制御する制御回路を有していてもよい。この場合には、その制御回路は、制御部１０７から受信した制御信号に応じて、バイパススイッチ及びアンテナスイッチを制御する。
【００５７】
ここで述べられた全ての例及び条件付きの言葉は、読者が、発明者によって寄与された発明及び概念を技術を深めて理解することを助けるための教育的な目的を意図する。ここで述べられた全ての例及び条件付きの言葉は、そのような具体的に述べられた例及び条件に限定されることなく解釈されるべきである。また、明細書のそのような例示の機構は、本発明の優越性及び劣等性を示すこととは関係しない。本発明の実施形態は詳細に説明されているが、その様々な変更、置き換え又は修正が本発明の精神及び範囲を逸脱しない限り行われ得ることが理解されるべきである。
【符号の説明】
【００５８】
１００    コンピュータ
１０１    操作部
１０２    表示部
１０３    無線通信モジュール
１０４    主アンテナ
１０５    補助アンテナ
１０６    記憶部
１０７    制御部
１０８    同軸ケーブル
１０９    同軸ケーブル
１１０    筐体
１１    インターフェース部
１２    ベースバンド処理部
１３    無線処理部
２１−１、２１−２    パワーアンプ
２２−１、２２−２    ローパスフィルタ
２３−１〜２３−４    低ノイズアンプ
２４−１〜２４−４    バンドパスフィルタ
２５−１、２５−２    アンテナスイッチ
２６    バイパススイッチ
【図１】
0006464455.tif 000003
【図２】
0006464455.tif 000004
【図３】
0006464455.tif 000005
【図４】
0006464455.tif 000006
【図５】
0006464455.tif 000007
【図６】
0006464455.tif 000008
【図７】
0006464455.tif 000009